【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
筐体に、空気を取り入れる吸込口と、高圧空気を発生するための羽根車と前記羽根車を駆動するためのモータで構成された高圧空気発生部と、前記筐体の一面から起立させた複数のノズルを備え、
前記ノズルは、前記高圧空気を吹き出す第一吹出口と第二吹出口とを備え、内部に前記第一吹出口と前記第二吹出口へ前記高圧空気を導くためのダクトを備えた筒体であって、
前記第一吹出口は、前記ノズルの側部において前記ノズルを起立させた方向に対して垂直方向に開口して備え、
前記ダクトは、前記垂直方向の断面が前記第一吹出口からの前記高圧空気の吹出方向に縦長であり、
複数の前記ノズルは、それぞれの前記第一吹出口が互いに同一面となるように、かつ間隙を設けて備えられ、
前記間隙によって、前記第一吹出口から吹出す空気に誘引される空気の誘引風路が形成されている送風装置であって、
前記第二吹出口を前記ノズルの最上部で前記ノズルを起立させた方向に開口して備え、
前記第二吹出口を開閉可能にしたルーバーを備えたことを特徴とする送風装置。
【請求項２】
筐体に、空気を取り入れる吸込口と、高圧空気を発生するための羽根車と前記羽根車を駆動するためのモータで構成された高圧空気発生部と、前記筐体の一面から起立させた複数のノズルを備え、
前記ノズルは、前記高圧空気を吹き出す第一吹出口と流出口とを備え、内部に前記第一吹出口と前記流出口へ前記高圧空気を導くためのダクトを備えた筒体であって、
複数の前記ノズルの上部に複数の前記流出口からの前記高圧空気を混合するチャンバー空間と、混合した前記高圧空気を吹出す第二吹出口を備え、
前記第一吹出口は、前記ノズルの側部において前記ノズルを起立させた方向に対して垂直方向に開口して備え、
前記ダクトは、前記垂直方向の断面が前記第一吹出口からの前記高圧空気の吹出方向に縦長であり、
複数の前記ノズルは、それぞれの前記第一吹出口が互いに同一面となるように、かつ間隙を設けて備えられ、
前記間隙によって、前記第一吹出口から吹出す空気に誘引される空気の誘引風路が形成
されている送風装置であって、
前記第二吹出口を前記チャンバー空間の最上部で前記ノズルを起立させた方向に開口して備え、
前記第二吹出口を開閉可能にしたルーバーを備えたことを特徴とする送風装置。
【請求項３】
複数の前記ノズルの起立方向の長さが同一であることを特徴とする請求項１または２に記載の送風装置。
【請求項４】
複数の前記第二吹出口の開口面積の合計が複数の前記ノズルの前記第一吹出口の開口面積の合計より大きいことを特徴とする請求項１乃至３いずれか一つに記載の送風装置。
【請求項５】
請求項１乃至４いずれか一つに記載の送風装置の前記吸込口に、空気浄化フィルタを備えたことを特徴とする送風機能付空気清浄装置。
【手続補正２】
【補正対象書類名】明細書
【補正対象項目名】００１２
【補正方法】変更
【補正の内容】
【００１２】
そして、この目的を達成するために、本発明は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をノズルの最上部でノズルを起立させた方向に開口して備え、第二吹出口を開閉可能にしたルーバーを備えたことを特徴とする送風装置としたものであり、これにより所期の目的を達成するものである。
【手続補正３】
【補正対象書類名】明細書
【補正対象項目名】００１３
【補正方法】変更
【補正の内容】
【００１３】
また、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の最上部でノズルを起立させた方向に開口して備え、第二吹出口を開閉可能にしたルーバーを備えたことを特徴とする送風装置としたものであり、これにより所期の目的を達成するものである。
【手続補正４】
【補正対象書類名】明細書
【補正対象項目名】００１４
【補正方法】変更
【補正の内容】
【００１４】
本発明によれば、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をノズルの最上部でノズルを起立させた方向に開口して備え、第二吹出口を開閉可能にしたルーバーを備えたことを特徴とする送風装置としたことにより、直接気流に当たることによる涼感が得られ、また、ノズルを起立させた方向の気流の吹出しを加えることで、室内の空気循環を実現できる。
【手続補正５】
【補正対象書類名】明細書
【補正対象項目名】００１５
【補正方法】変更
【補正の内容】
【００１５】
また、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の最上部でノズルを起立させた方向に開口して備え、第二吹出口を開閉可能にしたルーバーを備えたことを特徴とする送風装置としたことにより、直接気流に当たることによる涼感が得られ、また、ノズルを起立させた方向の気流の吹出しを加えることで、室内の空気循環を実現できる。
【手続補正６】
【補正対象書類名】明細書
【補正対象項目名】００１７
【補正方法】変更
【補正の内容】
【００１７】
本発明に係る送風装置は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と第二吹出口とを備え、内部に第一吹出口と第二吹出口へ高圧空気を導くためのダクトを備えた筒体であって、第一吹出口は、ノズルの側部においてノズルを起立させた方向に対して垂直方向に開口して備え、ダクトは、垂直方向の断面が第一吹出口からの高圧空気の吹出方向
に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口を前記ノズルの上部でノズルを起立させた方向に開口して備え、第二吹出口を開閉可能にしたルーバーを備えたことを特徴とするものである。
【手続補正７】
【補正対象書類名】明細書
【補正対象項目名】００２３
【補正方法】変更
【補正の内容】
【００２３】
また、本発明に係る別の送風装置は、筐体に、空気を取り入れる吸込口と、高圧空気を発生するための羽根車と羽根車を駆動するためのモータで構成された高圧空気発生部と、筐体の一面から起立させた複数のノズルを備え、ノズルは、高圧空気を吹き出す第一吹出口と流出口とを備え、内部に第一吹出口と流出口へ高圧空気を導くためのダクトを備えた筒体であって、複数のノズルの上部に複数の流出口からの高圧空気を混合するチャンバー空間と、混合した高圧空気を吹出す第二吹出口を備え、第一吹出口は、ノズルの側部においてノズルを起立させた方向に対して垂直方向に開口して備え、ダクトは、垂直方向の断面が第一吹出口からの高圧空気の吹出方向に縦長であり、複数のノズルは、それぞれの第一吹出口が互いに同一面となるように、かつ間隙を設けて備えられ、間隙によって、第一吹出口から吹出す空気に誘引される空気の誘引風路が形成されている送風装置であって、第二吹出口をチャンバー空間の上部でノズルを起立させた方向に開口して備え、第二吹出口を開閉可能にしたルーバーを備えたことを特徴とするものである。
【手続補正８】
【補正対象書類名】明細書
【補正対象項目名】００２９
【補正方法】変更
【補正の内容】
【００２９】
また、本発明に係る送風装置は、複数のノズルの起立方向の長さが同一であることを特徴とするものである。
【手続補正９】
【補正対象書類名】明細書
【補正対象項目名】００３２
【補正方法】変更
【補正の内容】
【００３２】
また、本発明に係る送風装置は、複数の第二吹出口の開口面積の合計が複数のノズルの第一吹出口の開口面積の合計より大きいことを特徴とするものである。
【手続補正１０】
【補正対象書類名】明細書
【補正対象項目名】００３４
【補正方法】変更
【補正の内容】
【００３４】
また、本発明に係る送風機能付空気清浄装置は、送風装置の吸込口に、空気浄化フィルタを備えたことを特徴とするものである。
【手続補正１１】
【補正対象書類名】明細書
【補正対象項目名】００４２
【補正方法】変更
【補正の内容】
【００４２】
ノズル１３は、図４に示すように、垂直方向の断面が吹出方向に縦長である。複数のノズル１３は、それぞれの吹出口９が同一面となるように間隙を設けて備えられ、この間隙によって、吹出口９から吹出す気流に誘引される空気の誘引風路２２が形成されている。つまり、本実施の形態の例ではノズル１３を６本設けているので、ノズル１３に挟まれた空隙にそれぞれ誘引風路２２がノズル１３の数より少ない５本形成できる。なお、前記間隙の長さとしては、ノズル１３の垂直方向の断面における吹出方向に対して垂直方向の長さ（ノズル１３の幅）以上、ノズル１３の筐体１２上面からの起立方向の長さの半分以下が風速の均一性を得られるため好ましく、本実施の形態では、一例としてノズル１３の幅が３０ｍｍ、ノズル１３の起立方向長さが６００ｍｍ、間隙の長さが１００ｍｍ、ノズル１３の吹出方向長さが２００ｍｍの場合を示している。また本実施の形態では、ノズル１３の垂直方向の断面形状は、長方形形状としたが、吹出し方向に縦長であればよく、楕円など別の形状でもよい。また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。